(57)【要約】  【課題】  テレビ画面の角度を調整するためのスタンドの回動操作を容易にするとともに、調整した回動角度が変化しないように確実に保持することのでき、かつ支持状態が安定して保持されるスタンドを備えた小型液晶テレビ等の薄型表示装置を提案する。  【解決手段】  背面に回動可能であってキャリングハンドルを兼ねた画角調整用のスタンドを備えた小型液晶テレビにおいて、先端が１点接地されるように尖った形状であるとともに接地位置がテレビ本体１の幅方向中心線上にあるスタンド２と、スタンド２の回動軸部分に設けられてスタンド２の回動操作時に低トルクの抵抗を発生する低トルク付与手段と、スタンド２の回動軸部分に設けられてスタンド２を任意の回動角度でロックするロック機構５と、ロック機構５に設けられてスタンド２のロックを解除するロック解除ボタン６とを備える。【選択図】  図２
2005242268.tif 000002
【特許請求の範囲】
【請求項１】
背面に回動可能であってキャリングハンドルを兼ねた画角調整用のスタンドを備えた薄型表示装置において、
前記スタンドを低トルクで回動操作可能に支持するとともに任意の回動角度でロックするロック手段を備えたことを特徴とする薄型表示装置。
【請求項２】
背面に回動可能であってキャリングハンドルを兼ねた画角調整用のスタンドを備えた薄型表示装置において、
先端が１点接地されるように尖った形状であるとともに接地位置がテレビ本体の幅方向中心線上にあるスタンドと、
該スタンドの回動軸部分に設けられてスタンドの回動操作時に低トルクの抵抗を発生する低トルク付与手段と、
前記スタンドの回動軸部分に設けられて前記スタンドを任意の回動角度でロックするロック機構部と、
該ロック機構部に設けられて前記スタンドのロックを解除するロック解除機構部と、
を備えたことを特徴とする薄型表示装置。
【請求項３】
請求項１または２に記載の薄型表示装置において、
前記スタンドは棒状部材をＵ字形に屈曲した形状に形成し、該屈曲部の内側空間にリモコンを着脱自在に装着したことを特徴とする薄型表示装置。
【請求項４】
請求項３に記載の薄型表示装置において、
装着された前記リモコンの発光部の前方位置に受光部を設けたことを特徴とする薄型表示装置。
【発明の詳細な説明】
【技術分野】
【０００１】
本発明は、背面にキャリングハンドルを兼ねたスタンドを備え、持ち運ぶことが可能な小型液晶テレビ等の薄型表示装置に関する。
【背景技術】
【０００２】
従来、背面にキャリングハンドルを兼ねたスタンドを備えた小型液晶テレビとして、特許文献１に記載の小型液晶テレビがある。これは、背面のスタンドを回動させることによりテレビ画面の角度を最適に調整することが可能である。しかも、テレビを持ち運びする場合は、スタンドを上方に回動してキャリングハンドルとして使用することが可能である。
【特許文献１】実用新案登録第２５３４１５７号公報
【発明の開示】
【発明が解決しようとする課題】
【０００３】
しかしながら、特許文献１に記載の小型液晶テレビは、スタンドを用いてテレビの画面の角度を調整する場合、クリック機構により３段階程度の調節しかできず、微調整ができないという欠点があった。なお、特許文献１中には、クリック機構に代えて高摩擦材用いて、その摩擦力により任意の回動角度にロックすることも可能であると言及しているが、その場合は、高摩擦材を摺動させながらスタンドを回動させなければならず、その操作に要するトルク値が大きくなり、女性・子供には操作が困難となって、実用的ではなかった。また、特許文献１に記載の小型液晶テレビは、スタンドの接地部の長さがテレビ本体の横幅とほぼ同じであるため、接地部は４点支持となる。その結果、テーブルのように略完全な平面ではなくて載置面に凹凸がある場合は、３点支持となり、スタンドの一端が浮いてガタつきが発生し不安定となることがあった。そこで、本発明は、テレビ画面の角度を調整するためのスタンドの回動操作を容易にするとともに、調整した回動角度が変化しないように確実に保持することのでき、かつ支持状態が安定して保持されるスタンドを備えた小型液晶テレビ等の薄型表示装置を提案することを目的とした。
【課題を解決するための手段】
【０００４】
上記課題を解決するために、本発明は、背面に回動可能であってキャリングハンドルを兼ねた画角調整用のスタンドを備えた薄型表示装置において、前記スタンドを低トルクで回動操作可能に支持するとともに任意の回動角度でロックするロック手段を備える。詳しくは、背面に回動可能であってキャリングハンドルを兼ねた画角調整用のスタンドを備えた薄型表示装置において、先端が１点接地されるように尖った形状であるとともに接地位置がテレビ本体の幅方向中心線上にあるスタンドと、該スタンドの回動軸部分に設けられてスタンドの回動操作時に低トルクの抵抗を発生する低トルク付与手段と、前記スタンドの回動軸部分に設けられて前記スタンドを任意の回動角度でロックするロック機構部と、該ロック機構部に設けられて前記スタンドのロックを解除するロック解除機構部とを備える。また、前記スタンドは棒状部材をＵ字形に屈曲した形状に形成し、該屈曲部の内側空間にリモコンを着脱自在に装着することも可能である。さらに、装着された前記リモコンの発光部の前方位置に受光部を設けることも可能である。
【発明の効果】
【０００５】
以上述べたように本発明によれば、スタンドを低トルクで回動操作可能に支持しておくことで、薄型表示装置を卓上等に載置する場合は、スタンドを回動操作しながら最適な画角に調整し、次いでその回動角度をロックすることで、調整した画角を確実に保持することができる。また、画角を変更する場合や薄型表示装置を移動する場合はロックを解除することで、スタンドを再び回動操作可能にすることができて使い勝手が向上する。また、スタンドは１点で接地されるためガタつくことも解消される。
【発明を実施するための最良の形態】
【０００６】
以下、図に基づいて本発明の実施形態を説明する。
図１は、本発明に係る薄型表示装置を小型液晶テレビに適用した場合の背面図であり、図２は図１の使用状態を示す側面図である。これらの図において、１はテレビ本体であり、その背面の左右および上下の中心位置に、スタンド２を支えるブラケット３，４が突設されている。ブラケット３，４の内側には、棒状部材をＵ字形に屈曲形成しその端部を一回り太い棒状部材で接続した形状のスタンド２が回動自在に接続されている。このときスタンド２をブラケット３，４に対して回動する際に、所定値以下の小さなトルクが発生するように、ブラケット３，４とスタンド２との間にトルク発生機構（図示せず）が設けられている。
【０００７】
ブラケット４の外側には、スタンド２を任意の回動角度に回動させた後、その位置を固定するためのロック機構５が設けられている。このロック機構５は押しボタン式または回転式であり、ボタンを押したりつまんで回転することで、スタンド２の回動をロックすることができる。ロック機構５のロックを解除するには、スタンド２の回動軸部分の大径部分の上側に設けられているロック解除ボタン６を押すことで解除される。スタンド２の部分がこのように構成されたことで、スタンド２を操作するときは、図２に示されるように、テレビ本体１を卓上に載置する場合は、スタンド２を真下の位置から右上方に回動させながら画面の角度が最適となるように調整する。
【０００８】
このとき、スタンド２の回動操作には弱いトルクが発生するため、トルクが０の場合にくらべ手応えのある操作感が得られるし、回動操作した後、スタンド２から手を離してもその回動位置が保たれる利点がある。こうしてスタンド２の回動位置が決定したら、ブラケット４の側面のロック機構５を操作してスタンド２をロックする。このとき、テレビ本体１とスタンド２は、３点で接地されるため安定する。また、スタンド２の回動位置を変更したい場合や、テレビ本体１を移動したい場合は、ロック解除ボタン６を押して、ロックを解除する。ロックが解除されると、新たにスタンド２の回動位置を調整したり、スタンド２を真上の位置に回動してキャリングハンドルとしてテレビ本体１を持ち運ぶことが可能となる。
【０００９】
なお、スタンド２の中間の空間部分には、リモコン７が着脱自在に取り付けることが可能である。テレビ本体１を移動中は、リモコン７を紛失しないように、スタンド２に装着しておくことができる。スタンド２のセットが終了したら、リモコン７をスタンド２から取り外してテレビ本体１の前面で操作をすることができる。さらには、リモコン７をスタンド２から取り外すことなくテレビ本体１の操作ができるように、取り付け状態のリモコン７の発光部８の前方位置となる、スタンド２の大径部分に受光部９が配設されている。その結果、リモコン７をスタンド２に装着した状態のまま、リモコン７の操作が可能となり、リモコン７を紛失しやすいユーザの場合は、テレビ本体１にリモコン７を取り付けたままでテレビを視聴することができる。
【産業上の利用可能性】
【００１０】
本発明は、小型液晶テレビ以外には、小型ＰＤＰテレビ等の薄型表示装置への利用が可能である。
【図面の簡単な説明】
【００１１】
【図１】本発明に係る薄型表示装置が適用される小型液晶テレビの背面図である。
【図２】図１の使用状態を示す側面図である。
【符号の説明】
【００１２】
１  テレビ本体
２  スタンド
３，４  ブラケット
５  ロック機構
６  ロック解除ボタン
７  リモコン
８  発光部
９  受光部
【図１】
2005242268.tif 000003
【図２】
2005242268.tif 000004